(57)【要約】【課題】患者の服薬情報を高密度二次元コード(Code-EX)（登録商標）に記録して、その情報をスマートフォンより音声出力すること、およびその情報をスマートフォンにテキスト表示させることにより、服薬情報を目と耳で確認できることで薬の誤飲及び飲み忘れを防げる、服薬支援管理システム。【解決手段】患者の服薬情報は個人の非公開の情報であり、その個人情報を高密度二次元コード（コードEX（登録商標））に記録して、前記高密度二次元コード（コードEX（登録商標））は服薬支援管理システム専用のヘッダ構造とし、専用の読み取りソフト以外は読み取り不可能として個人情報を保護し、前記高密度二次元コード（コードEX（登録商標））専用デコードソフトウェアを用いて光学的な手段で読み取り、合成音声にて音声出力およびテキスト変換して字幕テロップ表示も出来る構造とすることで、健常者の患者のみならず視覚障害者には音声情報、聴覚障害者には字幕テロップにより服薬情報を発信することが可能となる。【選択図】図１
2018128812.tif 000002
【特許請求の範囲】
【請求項１】
患者の個人情報、薬品情報を照合管理するサーバー部と、
前記患者の個人情報、薬品情報を入力する情報入力部と、
前記情報入力部により入力された情報を記録する情報記録部と、
前記情報入力部により入力された情報を二次元コードに変換して記録する二次元コード情報記録部と、
前記情報記録部により記録された情報をデータとして二次元コードとして出力するデータ出力部と、
前記情報により出力されて印字された二次元コードのデータを光学的な手段で読み取るデータ読み取り部と、
前記読み取られた二次元コードのデータを端末に記録するデータ保管記録部と、
前記情報をデータに基づいて音声変換して音声出力する合成音声格納部と、
前記情報を合成音声格納部と連動してテキスト変換して字幕テロップとして表示する表示部と、
前記保管記録部により記憶された情報に基づいてスマートフォンより音声とテキストにて情報を確認できる機能と、
前記情報を取得して外部に送信する送信部と、を有することを特徴とする、服薬支援管理システム。
【請求項２】
前記情報データとして記録された二次元コードは、二次元コードのヘッダ構造を服薬支援管理システムのみに限定した仕様構成として、セキュリティ鍵及び暗号化にも対応することを特徴とする、請求項１の服薬支援管理システム。
【請求項３】
前記情報データとして記録された二次元コードの記録の蓄積、読み取り、音声出力、情報送信およびテキストとしての字幕テロップ表示をGPS位置情報機能装着したスマートフォンにて行うことを特徴とする、請求項１の服薬支援管理システム。
【請求項４】
前記情報データの読み取り認証として、声帯認証にも対応することを特徴とする、請求項１の服薬支援管理システム。
【発明の詳細な説明】
【技術分野】
【０００１】
本発明は、患者が処方された薬剤を間違える事なく且つ忘れる事なく服用し、服薬状況を患者自身が管理し、服薬情報を目と耳で確認できることで薬の誤飲及び飲み忘れを防げる、服薬支援管理システムに関する。
【背景技術】
【０００２】
薬の服用について、薬の飲み忘れや服用方法の間違いにより、服薬効果が薄れたり副作用が発生したり、また、ウィルス性疾患においては薬剤耐性ウィルス化してしまい薬の効果が得られなくなるリスクがある。
【０００３】
これらの対策として、薬袋やお薬明細書（調剤薬局提供文書）などに薬剤情報や服用方法や注意事項や薬の写真などを印刷し、患者に手渡す事で患者が誤った服用をしないようにしている。
【０００４】
また、特許文献１のように、薬剤情報や服用方法や注意事項の情報を二次元コード（QRコード（登録商標）化したものをお薬明細書（調剤薬局提供文書）に印刷して携帯情報端末で読取り、この情報をもとにした服薬支援ソフトウェアが知られている。
【０００５】
しかし、前記の特許文献１に記載の二次元コード（QRコード（登録商標））では写真をコード化する事はできず、文字情報も文字数の制限により複数の二次元コードに分割するまたはサイズを大きくする必要があり、前述の薬袋やお薬明細書（調剤薬局提供文書）には全ての薬剤情報や服用方法や注意事項を二次元コード化して印刷する事はできない。
【０００６】
このため、サーバコンピュータとの通信ができない環境（例えば、病院内）においては有効ではない問題があり、また、通信を行う事により悪意のソフトウェアを介した不正アクセスや情報漏洩のリスクがある。
【０００７】
また、患者が所有しているお薬手帳に貼り付けるお薬手帳用の薬情シール（調剤薬局提供文書）にも前述の事由により二次元コード（QRコード（登録商標））を印刷することは困難である。
【０００８】
さらに、視覚障害者には印刷された薬剤情報や服用方法や注意事項の情報では有効ではない。
【０００９】
また、前述の二次元コード（QRコード（登録商標））を使った情報交換では情報量の制限があるため、知られている服薬支援ソフトウェアでは多くの情報交換ができないためサーバコンピュータ上に情報を配置しサーバコンピュータを介した情報交換が行われている。
【００１０】
知られている服薬支援管理システムでは、主要機能として服薬時刻にアラームを鳴らす機能があるが、アラームを鳴らしてほしくない場所が考慮されておらず、個人情報である服用の事実や疾患が第三者に知られてしまうリスクがある。
【先行技術文献】
【特許文献】
【００１１】
【特許文献１】特開２００７−７２８６号公報
【特許文献２】特開２０１５−１１４６８０号公報
【特許文献３】特開２０１５−１１４５５９号公報
【発明の概要】
【発明が解決しようとする課題】
【００１２】
近年の技術革新、特に光学的なセンサー技術および情報処理のプロセッサー技術が旧来
の二次元コードの概念を一掃した。例えば、特許文献２および特許文献３に記載された高
密度二次元コード(コードEX（登録商標）)は高密度に情報を記録できるのみならず、多言語音声情報も記録する事が可能となった。
【００１３】
また、前記高密度二次元コード(コードEX（登録商標）)は、ヘッダ構造を暗号化することにより、用途ごとに記号の読み取り操作の制御が可能となったので、個人情報の保護の観点で、セキュリティーも保持した服薬管理システムへの適用が可能となった。
【００１４】
前記患者の処方薬情報を高密度二次元コード(Code-EX)（登録商標）に記録して、その情報を音声変換して音声出力すること、およびその情報をテキスト表示させることにより、処方薬情報を目と耳で確認できることで薬の誤飲および飲み忘れを防げる服薬管理システムの提供。
【００１５】
前記患者の服薬状況情報を高密度二次元コード（コードEX（登録商標））に変換して、その情報をスマートフォン上に表示することで、医師の所有するパーソナルコンピュータやスマートフォンに直接情報を提供する服薬管理システムの提供。
【００１６】
患者の位置情報を把握し、特定のエリア内または特定のエリア外でのみ服薬時刻をお知らせするアラームを鳴らすことのできる服薬管理システムの提供も可能となる。
【課題を解決するための手段】
【００１７】
患者の処方薬情報は個人の非公開の情報であり、その個人情報を高密度二次元コード（コードEX（登録商標））に記録して、前記高密度二次元コード（コードEX（登録商標））は服薬支援システム専用のヘッダ構造とし、専用のデコードソフト以外は読み取り不可能として個人情報を保護し、前記デコードソフトを用いて光学的な手段で読み取り、合成音声にて音声出力およびテキスト変換して字幕テロップ表示もできる構造とする事で、健常者の患者のみならず視覚障害者には音声情報、聴覚障害者には字幕テキストにより処方薬情報を発信する事が可能となる。
【００１８】
患者の服薬状況情報は個人の非公開の情報であり、その個人情報を患者のスマートフォン上に高密度二次元コード（コードEX（登録商標））に変換し出力し、前記高密度二次元コード（コードEX（登録商標））は服薬支援システム専用のヘッダ構造とし、専用のデコードソフト以外は読み取り不可能として個人情報を保護し、前記デコードソフトを用いて工学的な手段で読み取り、医師の所有するパーソナルコンピュータやスマートフォンに安全に個人情報を引き渡す事が可能となる。
【００１９】
患者のスマートフォンに搭載されているGPS機能を活用し位置情報を把握し、服薬時刻において特定のエリア内または特定のエリア外に患者自身が存在する場合は服薬時刻のお知らせアラームを中止し、また、特定のエリア内またはエリア外に移動した時点で服薬時刻のお知らせアラームを鳴らす事で、服薬の事実が第三者に漏洩するリスク回避が可能となる。
【発明の効果】
【００２０】
本発明によれば、薬局は薬剤情報や服用方法や注意事項や薬の写真の情報を、セキュリティを保持したまま高密度二次元コード（コードEX（登録商標））として薬袋やお薬手帳用の薬情シールに印刷して患者に渡す事ができ、患者は前述の高密度二次元コード（コードEX（登録商標））をスマートフォンにより読み取るだけの簡単な操作で、通信回線を利用する事なく安全に薬剤情報や服用方法や注意事項や薬の写真を受け取る事ができ、患者はスマートフォン上で薬剤情報や服用方法や注意事項や薬の写真の情報を文字や音声や画像の形式で確認する事ができる。
【００２１】
また、前述のスマートフォンで読み取った情報を用いて、服薬時刻のお知らせアラームや薬剤の残り数管理や次回外来日の通知などの服薬管理を可能とする。
【００２２】
服薬管理で得られる服薬状況情報をセキュリティや暗号化を施した高密度二次元コード（コードEX（登録商標））としてスマートフォンの画面上に出力し、医師の所有する高密度二次元コード（コードEX（登録商標））読み取り機能のあるパーソナルコンピュータやスマートフォンで直接読み取る事で、通信が行えない環境下であっても服薬状況情報を医師に伝達する事ができる。
【図面の簡単な説明】
【００２３】
【図１】本発明の実施の形態についての概略を示す説明図
【図２】図１の入力部の概要図
【図３】図1のスマホの概要図
【図４】実施の形態例を示すフローチャート図
【発明を実施するための形態】
【００２４】
請求項に係わる発明について、その実施の形態を図１を参照しながら説明する。
【実施例】
【００２５】
処方薬情報を目と耳で確認できることで薬の誤飲および飲み忘れを防げる服薬管理システムはスマートフォンを活用して構築し、薬の誤飲および飲み忘れを防ぐシステムとする。
【００２６】
まず、患者の服薬情報をパソコン２にて入力して、その情報を一旦記録保管して、前記記録情報を高密度二次元コード（コードEX（登録商標））変換ソフトにより高密度二次元コード（コードEX（登録商標））に変換して記録する。
【００２７】
パソコン２に高密度二次元コード（コードEX（登録商標））として記録された情報は、高密度二次元コード（コードEX（登録商標））データとしてラベルプリンタ３に出力される。
【００２８】
ラベルプリンタ３に出力された前記高密度二次元コード（コードEX（登録商標））データは（コードEX（登録商標））印字ラベル５として出力される。
【００２９】
前記出力された高密度二次元コード（コードEX（登録商標））印字ラベル５は、お薬手帳４または薬袋６の表面に貼り付けることで、紙媒体で情報の共有が可能となる。
【００３０】
前記貼り付けられた高密度二次元コード（コードEX（登録商標））印字ラベル５は、高密度二次元コード（コードEX（登録商標））のデータを読み取る光学的な手段、つまりスマートフォン７のカメラ部により撮像される。
【００３１】
前記スマートフォン７には、高密度二次元コード（コードEX（登録商標））の読み取り（デコード）ソフトウェア、読み取られたデータ保管記録部、合成音声格納部及び合成音声と連動して字幕テロップを出力するソフトウェアが装備されている。
【００３２】
また、前記スマートフォンには、前記情報を取得して外部に送信する送信部も備え、サーバー１に送信して情報を記録することも可能となる。
【産業上の利用可能性】
【００３３】
この発明によれば、高密度二次元コード（コードEX（登録商標））を活用して、処方薬情報を目と耳で確認できることで、薬の誤飲および飲み忘れを防げる服薬管理システムを構築が可能となり、今までの健常者のみの誤飲防止対策から、視覚障がい者には「音声」情報、聴覚障害者には「字幕テロップ」情報も提供でき、また多言語での情報提供も可能となるので、効率的なバリアフリーの服薬支援管理システムを提供できる。
【符号の説明】
【００３４】
１ サーバー
２ 情報入力及び高密度二次元コード（コードEX（登録商標））変換業務用パソコン
３ 高密度二次元コード（コードEX（登録商標））用のラベルプリンタ
４ お薬手帳
５  高密度二次元コード（コードEX（登録商標））
６ 薬袋
７  スマートフォン
【図１】
2018128812.tif 000003
【図２】
2018128812.tif 000004
【図３】
2018128812.tif 000005
【図４】
2018128812.tif 000006